(57)【要約】【課題】外枠に対する遊技盤取付枠又は前面枠のガタツキが大きい場合であっても閉塞状態にあると正しい検知を確実に行うことができるパチンコ遊技機を提供すること。【解決手段】パチンコ遊技機は、外枠１の一側に設けた蝶番６，９に遊技盤取付枠２及び前面枠３を枢着し、外枠１に対して遊技盤取付枠２が開閉自在でしかも遊技盤取付枠２に対して前面枠３が開閉自在である。検知スイッチ１６は、前面枠３の裏面に配設され外枠１に対する遊技盤取付枠２の開閉及び外枠１に対する前面枠３の開閉の双方を検知するための１個の検知スイッチ１６である。検知スイッチ１６は、外枠１の他端部の鉛直プレート１４に対して押動釦部１８が略垂直方向から当接し得る。スイッチカバー２１、コイルばね（スプリング）２３及びストッパーは、検知スイッチ１６をその前進位置で後退可能に保持する。【選択図】図２
2006187465.tif 000002
【特許請求の範囲】
【請求項１】
外枠の一側に設けた蝶番に遊技盤取付枠及び前面枠を枢着し、前記外枠に対して前記遊技盤取付枠が開閉自在でしかも該遊技盤取付枠に対して前記前面枠が開閉自在であり、かつ、前記前面枠の裏面に配設され前記外枠に対する前記遊技盤取付枠の開閉及び前記外枠に対する前記前面枠の開閉の双方を検知するための１個の検知スイッチであって、前記外枠の他端部の前面側に対して当該検知スイッチの押動釦部が略垂直方向から当接し得る検知スイッチを備えるパチンコ遊技機であって、
前記検知スイッチをその前進位置で後退可能に保持する弾性保持手段を設けたことを特徴とするパチンコ遊技機。
【請求項２】
前記弾性保持手段は、前記検知スイッチのケースに設けられたスイッチカバーと、該スイッチカバーと前記前面枠裏面との間に配設され、前記スイッチカバーを介して前記検知スイッチを前進方向へ付勢するスプリングとを備えることを特徴とする請求項１に記載のパチンコ遊技機。
【発明の詳細な説明】
【技術分野】
【０００１】
本発明は、パチンコ遊技機、詳しくは、遊技盤取付枠及び前面枠の双方の開放を検知するための検知スイッチを備えるパチンコ遊技機に関する。
【背景技術】
【０００２】
従来から、パチンコ遊技機には、遊技盤の裏面側に予め配された正規のROMを不正なROMと取替えるなどの不正行為を防止するために、遊技盤取付枠及び前面枠が開放されたことをホール側が知り得るようにするための検知スイッチが設けられており、遊技盤取付枠の開放と前面枠の開放の双方を１個のみで検知する検知スイッチを外枠の前面に設けるとともにこの検知スイッチを作動させる触子を前面枠の裏面に設けたものが知られている（例えば、特許文献１参照）。
【０００３】
また、遊技盤取付枠の開放を検知するために、リミットスイッチのレバーが外枠の内面と当接し得るようリミットスイッチを遊技盤取付枠の裏面に設け、さらに、このリミットスイッチに板ばねを組み合わせることによりリミットスイッチの配置作業の容易化及び遊技盤取付枠の開閉作業時の衝撃からの保護を図るようにしたパチンコ遊技機が知られている（例えば、特許文献２参照）。
【特許文献１】特開２００２−５２１４４号公報（図５、図９、図１０）
【特許文献２】特開２００２−１０２４９５号公報（[００１３]、図４、図５、図６）
【発明の開示】
【発明が解決しようとする課題】
【０００４】
しかし、上記特許文献１に記載の発明によると、外枠に対する遊技盤取付枠又は前面枠のガタツキが大きい場合、遊技盤取付枠又は前面枠が閉塞状態であるにもかかわらず前面枠裏面の触子が検知スイッチを作動せず、遊技盤取付枠又は前面枠が開放状態であると誤った検知を行うおそれがある。
【０００５】
また、上記特許文献２に記載の発明は、リミットスイッチを収容したケースを、外枠の内面による押動と板ばねの付勢力によって左右に揺動し得るよう構成されている（[００１３]参照）。ここで、リミットスイッチの揺動可能な角度は、レバーが外部から押下力を受けて正常に作動できる範囲内に制限される。このため、外枠に対する遊技盤取付枠の多少のガタツキに対しては誤検知を防止することができるが、ガタツキが大きい場合には、遊技盤取付枠等の閉塞時に、リミットスイッチのレバーが外枠の内面と当接しないため外部から押下力を受けることができず、リミットスイッチがこの閉塞状態を検知しないで、閉塞状態にあるにもかかわらず開放状態であると誤った検知を行うおそれがある。
【０００６】
本発明は、上記のような従来技術の問題点を解決し、外枠に対する遊技盤取付枠又は前面枠のガタツキが大きい場合であっても閉塞状態にあると正しい検知を確実に行うことができるパチンコ遊技機を提供することを目的とする。
【課題を解決するための手段】
【０００７】
本発明のパチンコ遊技機は、外枠の一側に設けた蝶番に遊技盤取付枠及び前面枠を枢着し、前記外枠に対して前記遊技盤取付枠が開閉自在でしかも該遊技盤取付枠に対して前記前面枠が開閉自在であり、かつ、前記前面枠の裏面に配設され前記外枠に対する前記遊技盤取付枠の開閉及び前記外枠に対する前記前面枠の開閉の双方を検知するための１個の検知スイッチであって、前記外枠の他端部の前面側に対して当該検知スイッチの押動釦部が略垂直方向から当接し得る検知スイッチを備えるパチンコ遊技機であって、前記検知スイッチをその前進位置で後退可能に保持する弾性保持手段を設けたことを特徴とする。
【０００８】
本発明のパチンコ遊技機において、検知スイッチは、遊技盤取付枠又は前面枠の開放時には弾性保持手段により前進位置に保持され、遊技盤取付枠又は前面枠の閉塞時には前進位置から後退した位置に保持される。この後退量は、従来のリミットスイッチのように揺動角度による制限を受けることがなく、任意に設定可能である。このため、遊技盤取付枠又は前面枠を閉塞したとき、外枠に対する遊技盤取付枠又は前面枠のガタツキが大きい場合であっても検知スイッチの押動釦部は外枠の前面側と当接し得るようになり、閉塞状態であるとの正しい検知を確実に行うことができるようになる。
【０００９】
ここで、前記弾性保持手段は、前記検知スイッチのケースに設けられたスイッチカバーと、該スイッチカバーと前記前面枠裏面との間に配設され、前記スイッチカバーを介して前記検知スイッチを前進方向へ付勢するスプリングとを備える。
【発明を実施するための最良の形態】
【００１０】
以下、本発明の実施形態を図面に基づいて説明する。
【００１１】
図１は、本発明の一実施形態に係るパチンコ遊技機の正面図、図２は、同パチンコ遊技機において外枠に対して遊技盤取付枠を開放しかつ遊技盤取付枠に対して前面枠を開放した状態を表した概略斜視図、図３は、外枠に対する遊技盤取付枠又は前面枠のガタツキが小さい場合における検知スイッチと外枠の前面側との係合関係を説明するための断面図、図４は、外枠に対する遊技盤取付枠又は前面枠のガタツキが大きい場合における検知スイッチと外枠の前面側との係合関係を説明するための断面図、図５は、検知スイッチのオン状態及びオフ状態を説明するための概念図をそれぞれ示す。
【００１２】
図１及び図２において、１は外枠、２は遊技盤取付枠、３は前面枠を表す。
【００１３】
遊技盤取付枠２及び前面枠３は外枠１の左端部に設けた蝶番６，９に枢着されており、遊技盤取付枠２は外枠１に対して開閉自在であり、前面枠３は遊技盤取付枠２に対して開閉自在である。
【００１４】
外枠１の前面の右上端部に、外枠１の内側に突出して鉛直プレート１４が固着されている。遊技盤取付枠２の右上端部には、遊技盤取付枠２の開閉時に遊技盤取付枠２が鉛直プレート１４と干渉しないための凹部１５が形成されており、遊技盤取付枠２は、その閉塞時、外枠１の内側に位置する。
【００１５】
前面枠３の裏面に、遊技盤取付枠２の開閉及び前面枠３の開閉の双方を検出するための１個の検知スイッチ１６が配設されている。この検知スイッチ１６は、図５に示すように、ケース１７と、このケース１７の前面開口部に前進位置が規制されて挿通された押動釦部１８と、この押動釦部１８に突出方向の付勢力を常時与えるばね部材１９と、図示しない電気的接点とを基本的構成要素として備え、図５（A）に示すように、押動釦部１８が外力によりばね部材１９の付勢力に抗して後退したとき、電気的接点が閉じてオン状態となり、図５（B）に示すように、外力が解放され押動釦部１８がばね部材１９によって前進位置にあるとき、電気的接点が開いてオフ状態となるよう動作する。押動釦部１８は、外枠１の鉛直プレート１４と対応する位置に、鉛直プレート１４に対して略垂直方向から当接し得るよう設けられており、外枠１に対して前面枠３が閉塞状態にあるとき、押動釦部１８は、鉛直プレート１４から押下力を受け、ばね部材１９の付勢力に抗して後退しており、検知スイッチ１６はオン状態に維持される。一方、外枠１に対して遊技盤取付枠２又は前面枠３が開放状態にあるとき、押動釦部１８は、鉛直プレート１４から離れており、ばね部材１９の付勢力により前進位置にあり、検知スイッチ１６はオフ状態に維持される。
【００１６】
図３及び図４に示すように、検知スイッチ１６のケース１７にスイッチカバー２１が設けられている。前面枠３の裏面に複数のリブ２２が突設されている。各リブ２２にコイルばね（スプリング）２３が外嵌されており、各コイルばね２３は、前面枠３の裏面とスイッチカバー２１の裏面との間で圧縮状態とされ、スイッチカバー２１を介して検知スイッチ１６を前進方向へ付勢している。スイッチカバー２１は、図示されないストッパーによって前進方向への移動が制限されており、スイッチカバー２１がストッパーと係合しているとき、検知スイッチ１６は前進位置にある。
【００１７】
外枠１に対する遊技盤取付枠２又は前面枠３のガタツキが小さく、前面枠３の裏面から外枠１の前面までの距離が短い場合、図３に示すように、検知スイッチ１６の押動釦部１８が鉛直プレート１４との当接により後退して検知スイッチ１６がオン状態に維持されるばかりでなく、検知スイッチ１６自体がコイルばね２３の付勢力に抗して大きく後退するようになる。
【００１８】
一方、外枠１に対する遊技盤取付枠２又は前面枠３のガタツキが大きく、前面枠３の裏面から外枠１の前面までの距離が長い場合、図４に示すように、検知スイッチ１６の押動釦部１８が鉛直プレート１４との当接により後退して検知スイッチ１６がオン状態に維持されるが、検知スイッチ１６自体の後退量は減少するようになる。
【００１９】
以上説明したように、本実施形態のパチンコ遊技機は、外枠１の一側に設けた蝶番６，９に遊技盤取付枠２及び前面枠３を枢着し、外枠１に対して遊技盤取付枠２が開閉自在でしかも遊技盤取付枠２に対して前面枠３が開閉自在であり、かつ、前面枠３の裏面に配設され外枠１に対する遊技盤取付枠２の開閉及び外枠１に対する前面枠３の開閉の双方を検知するための１個の検知スイッチ１６であって、外枠１の他端部の前面側（鉛直プレート１４）に対して検知スイッチ１６の押動釦部１８が略垂直方向から当接し得る検知スイッチ１６を備えるパチンコ遊技機であって、検知スイッチ１６をその前進位置で後退可能に保持する弾性保持手段（スイッチカバー２１、コイルばね（スプリング）２３、ストッパー）を設けている。
【００２０】
本発明のパチンコ遊技機において、検知スイッチ１６は、遊技盤取付枠２又は前面枠３の開放時には弾性保持手段（スイッチカバー２１、コイルばね（スプリング）２３、ストッパー）により前進位置に保持され、遊技盤取付枠２又は前面枠３の閉塞時には前進位置から後退した位置に保持される。この後退量は、従来のリミットスイッチのように揺動角度による制限を受けることがなく、任意に設定可能である。このため、遊技盤取付枠２又は前面枠３を閉塞したとき、外枠１に対する遊技盤取付枠２又は前面枠３のガタツキが大きい場合であっても検知スイッチ１６の押動釦部１８は外枠１の前面側（鉛直プレート１４）と当接し得るようになり、閉塞状態であるとの正しい検知を確実に行うことができるようになる。また、検知スイッチ１６を保持する弾性保持手段を検知スイッチ１６に対して前進位置で後退可能に保持するので、例えば、開放した前面枠３を勢いよく閉めてしまった場合に、衝撃がスイッチカバー２１を通じて上下のコイルばね２２に均等に伝わるため衝撃を吸収しやすく、検知スイッチ１６にかかる負担も少なくなる。また、検知スイッチ１６を前面枠３にとりつけることで、検知スイッチ１６に接続する配線を前面枠３の電飾関係の配線をまとめることもできるので、前面枠３の外観上もすっきりしたものになる。なお、上記実施形態では、蝶番６，９を外枠１の左端部側に設けたが、その代わりとして外枠１の右端部側に蝶番６，９を設けてもよいことは言うまでもない。
【図面の簡単な説明】
【００２１】
【図１】本発明の一実施形態に係るパチンコ遊技機の正面図である。
【図２】同パチンコ遊技機において外枠に対して遊技盤取付枠を開放しかつ遊技盤取付枠に対して前面枠を開放した状態を表した概略斜視図である。
【図３】外枠に対する遊技盤取付枠又は前面枠のガタツキが小さい場合における検知スイッチと外枠の前面側との係合関係を説明するための断面図である。
【図４】外枠に対する遊技盤取付枠又は前面枠のガタツキが大きい場合における検知スイッチと外枠の前面側との係合関係を説明するための断面図である。
【図５】検知スイッチのオン状態及びオフ状態を説明するための概念図である。
【符号の説明】
【００２２】
１    外枠
２    遊技盤取付枠
３    前面枠
６，９    蝶番
１４    鉛直プレート（外枠他端部の前面側）
１６    検知スイッチ
１７    ケース
１８    押動釦部
２１    スイッチカバー（弾性保持手段）
２３    スプリング（弾性保持手段）
【図１】
2006187465.tif 000003
【図２】
2006187465.tif 000004
【図３】
2006187465.tif 000005
【図４】
2006187465.tif 000006
【図５】
2006187465.tif 000007